(57)【要約】【課題】液晶モニター画面を拡大することで視認性を向上させることができ、しかも様々な機種やメーカーの相異に拘わらず容易に着脱可能に適用できるカメラ用部品装着具セットを提供する。【解決手段】（１）三脚穴に対する三脚穴取付端子を有する自在手と、この自在手に着脱自由に取り付けられるルーペ（拡大レンズ）とを有すること、（２）三脚穴に対する三脚穴取付端子を有する自在手と、この自在手に着脱自由に取り付けられるフィルター類とを有すること、及び（３）三脚穴に対する三脚穴取付端子を有する自在手と、この自在手に着脱自由に取り付けられるルーペ（拡大レンズ）と、このルーペ（拡大レンズ）に換えて自在手に着脱自由に取り付けられるフィルター類とを有することを特徴とするカメラ用部品装着具セットである。【選択図】  図１
2004177439.tif 000002
【特許請求の範囲】
【請求項１】
三脚穴に対する三脚穴取付端子を有する自在手と、この自在手に着脱自由に取り付けられるルーペ（拡大レンズ）とを有することを特徴とするカメラ用部品装着具セット。
【請求項２】
自在手に取り付けられたアタッチメントにルーペ（拡大レンズ）を着脱自由に取り付ける構成としたことを特徴とする請求項１に記載のカメラ用部品装着具セット。
【請求項３】
三脚穴に対する三脚穴取付端子を有する自在手と、この自在手に着脱自由に取り付けられるフィルター類とを有することを特徴とするカメラ用部品装着具セット。
【請求項４】
自在手に取り付けられたアタッチメントにフィルター類を着脱自由に取り付ける構成としたことを特徴とする請求項３に記載のカメラ用部品装着具セット。
【請求項５】
三脚穴に対する三脚穴取付端子を有する自在手と、この自在手に着脱自由に取り付けられるルーペ（拡大レンズ）と、このルーペ（拡大レンズ）に換えて自在手に着脱自由に取り付けられるフィルター類とを有することを特徴とするカメラ用部品装着具セット。
【請求項６】
自在手に取り付けられたアタッチメントに、ルーペ（拡大レンズ）、フィルター類のいずれかを着脱自由に取り付ける構成とした請求項５に記載のカメラ用部品装着具セット。
【請求項７】
三脚穴取付端子が、三脚穴部材を有することを特徴とする請求項１〜６のいずれかに記載のカメラ用部品装着具セット。
【発明の詳細な説明】
【０００１】
【発明の属する技術分野】
本発明はカメラ用部品装着具セットに関し、詳しくはデジタルカメラ等に装着して液晶モニター画面を拡大表示するカメラ用部品装着具セットに関する。
【０００２】
【従来の技術】
近年、銀塩フィルムを用いた通常のカメラに代わり、撮像した画像をデジタル信号に変換し、メモリ素子等に記録する所謂デジタルカメラ（デジカメとも呼ばれている。）が普及し始めている。一般に市販されているデジカメは１００万程度〜５００万超の画素数のものであり、２００万画素程度のものが中心帯となっており広く普及している。更に、最近では１００万画素程度の簡易な携帯性に優れた小型デジカメも注目されはじめている。
【０００３】
このようなデジタルカメラは、光学ファインダーを備えたものもあるが、主として液晶モニター画面をファインダーとしており、該液晶モニター画面を見ながら構図やピントを確認・決定している。
【０００４】
液晶モニター画面で確認して撮った画像は略見たままの範囲での撮影が可能であり、光学ファインダーのように、実際に見えている範囲よりも周囲が広く写り、特にマクロ（接写）撮影時に被写体とカメラの距離が近くなるにつれ光学ファインダーを覗いて見える範囲と実際に写る範囲にズレが生じてしまうという問題がない。
【０００５】
更に液晶モニター画面は撮影時のファインダーとしての機能のみならず、撮影後の画像確認の機能を果たしている。撮影後、直ちに画像の確認が可能であるため、その場で撮った画像を他人に見せたり或いは失敗した画像や不要な画像を削除して撮影容量の無駄を排除することができる。
【０００６】
このように液晶モニター画面は極めて有用且つ機能的であるが、一般に、液晶モニター画面のサイズが１〜１．８インチと小画面であり、特に上述した１００万画素程度の小型デジカメの場合には１インチ程度となるため、細部の確認が困難、例えば、ピントの確認等が行えない等のユーザーの不満がある。
【０００７】
そこで、デジタルカメラの背面部に表示拡大装置を取り付けることで液晶モニター画面の表示を拡大する技術も提案されてきている（特許文献１及び２等参照。）。
【０００８】
【特許文献１】特開２００２−１６８２９
【特許文献２】実用新案登録第３０８７０８９号公報
【０００９】
【発明が解決しようとする課題】
特許文献１に記載の技術は、そのデジカメ機種専用のものであり、他の機種や他メーカーのデジカメには取り付けることができず、汎用性について全く考慮されていない。また、拡大率や焦点距離も固定であるため、視力の異なる場合や拡大表示する大きさの変更に応じられないという不都合がある。
【００１０】
特許文献２に記載の技術は、液晶モニター画面に透光性両面粘着テープによって取り付けるものであり、着脱を繰り返すと視認性が劣化するだけでなく、取り外した後の粘着面の管理が必要であるばかりでなく、かかる特許文献２についても、拡大倍率や焦点距離が固定であるため、上記特許文献１と同様の不都合がある。
【００１１】
そこで本発明の課題は、液晶モニター画面を拡大することで視認性を向上させることができ、しかも様々な機種やメーカーの相異に拘わらず容易に着脱可能に適用できるカメラ用部品装着具セットを提供することにある。
【００１２】
【課題を解決するための手段】
上記本発明の課題は下記構成によって達成される。
１．三脚穴に対する三脚穴取付端子を有する自在手と、この自在手に着脱自由に取り付けられるルーペ（拡大レンズ）とを有することを特徴とするカメラ用部品装着具セット。
【００１３】
２．自在手に取り付けられたアタッチメントにルーペ（拡大レンズ）を着脱自由に取り付ける構成としたことを特徴とする上記１に記載のカメラ用部品装着具セット。
【００１４】
３．三脚穴に対する三脚穴取付端子を有する自在手と、この自在手に着脱自由に取り付けられるフィルター類とを有することを特徴とするカメラ用部品装着具セット。
【００１５】
４．自在手に取り付けられたアタッチメントにフィルター類を着脱自由に取り付ける構成としたことを特徴とする上記３に記載のカメラ用部品装着具セット。
【００１６】
５．三脚穴に対する三脚穴取付端子を有する自在手と、この自在手に着脱自由に取り付けられるルーペ（拡大レンズ）と、このルーペ（拡大レンズ）に換えて自在手に着脱自由に取り付けられるフィルター類とを有することを特徴とするカメラ用部品装着具セット。
【００１７】
６．自在手に取り付けられたアタッチメントに、ルーペ（拡大レンズ）、フィルター類のいずれかを着脱自由に取り付ける構成とした上記５に記載のカメラ用部品装着具セット。
【００１８】
７．三脚穴取付端子が、三脚穴部材を有することを特徴とする上記１〜６のいずれかに記載のカメラ用部品装着具セット。
【００１９】
【発明の実施の態様】
以下、本発明の詳細について添付図面に基づき説明する。
図１は本発明に係るカメラ用部品装着具セットの一実施例を示す正面図、図２は図１の底面図、図３は図１及び図２に示すカメラ用部品装着具セットをデジタルカメラに装着した状態の一例を示す底面図、図４は図３の態様に三脚を取り付けた状態を示す背面図、図５は本発明に係るカメラ用部品装着具セットの他の実施例を示す正面図、図６は図５に示すカメラ用部品装着具セットをデジタルカメラに装着した状態を示す底面図、図７は本発明に係るカメラ用部品装着具セットの他の実施例をデジタルカメラに装着した状態の一例を示す底面図である。
【００２０】
図１及び図２において、１は三脚穴取付端子、２は自在手、３はルーペ（拡大レンズ）である。
【００２１】
三脚穴取付端子１には、デジタルカメラ４底面に設けられている三脚穴に螺合する螺子１１を有する。また、三脚穴取付端子１は、デジタルカメラ４の三脚穴を利用してデジタルカメラに取り付けられるものであるため、三脚使用の際、デジタルカメラ４の三脚穴が使用できなくなるので、該デジタルカメラ４の三脚穴の代わりとなる三脚穴１３が形成されている三脚穴部材１２が三脚穴取付端子１の下部に設けられていることが好ましい。
【００２２】
自在手２は、公知のものを特別の制限なく利用でき、例えば、複数個のジョイント・ソケット部２１と、複数個のジョイント・ボール部２２を交互に継ぐことで、該継ぎ手部分が関節となる自在継ぎ手型の構成を有するものであり、所望の角度ないしは曲線状に自由に屈曲すると共に屈曲状態を維持することが可能である。
【００２３】
自在手２の基部は、前記三脚穴取付端子１に連結されている。また、自在手２の先端部には、ルーペ（拡大レンズ）３を着脱自由に取り付けるためのアタッチメント２３が設けられている。アタッチメント２３は、本態様ではルーペ（拡大レンズ）３を挟持するクリップ式であるが、ルーペ（拡大レンズ）３が取付可能であれば本発明はこれに限定されず、例えば、横又は縦スライド取付式、粘着式、螺子固定式、磁石固定式等、他の取付手段を採ることができる。尚、ルーペ（拡大レンズ）３は、自在手２に対して着脱可能ではなく固着或いは自在手２の先端と一体的に構成されることを否定しない。
【００２４】
自在手２は、所望の角度ないしは曲線状に自由に屈曲できるものであれば、本実施例の自在継ぎ手型のものに限らず、他の構成のもの、例えば、手指で任意の形状に屈曲可能な電気スタンドアームや針金部材等のフレキシブル素材ないしは構成であってもよい。
【００２５】
ルーペ（拡大レンズ）３は、レンズ部３１と枠部３２とからなり、例えば、合成樹脂製のレンズ板の周囲を黒塗りして枠部３２としたものであってよい。レンズ部３１の倍率は、例えば、１．５〜５倍程度であれば充分である。尚、倍率の異なる複数枚を予め用意しておき、複数枚をセットとしてもよいし、或いは任意の１枚ないしは数枚を選択してセットできるようにしてもよい。
【００２６】
以上の構成を有するカメラ用部品装着具セットは、例えば、図３に示すように、デジタルカメラ４の底面に設けられた三脚穴を利用して取り付けられる。
【００２７】
デジタルカメラ４の底面に装着した後、自在手２を屈曲させてルーペ（拡大レンズ）３が液晶モニター画面４１を透視する位置で且つ焦点の一致する位置となるように調整する。
【００２８】
カメラ用部品装着具セットをデジタルカメラ４に装着することによって、小画面である液晶モニター画面４１はルーペ（拡大レンズ）３によって拡大表示されるので、細部の確認、特にピントの確認が行い易くなる。また、自在手２の屈曲状態を調整することで液晶モニター画面４１とルーペ（拡大レンズ）３との距離や角度も調整できるので、視力の異なるユーザーであっても使用でき、さらに拡大表示する大きさも変更できる。
【００２９】
特に本発明によれば、デジタルカメラ４への装着を、カメラ規格の基本構成である三脚穴を利用しているので、様々な機種やメーカー別であっても容易に着脱可能に装着することが可能である。
【００３０】
更に本発明によれば、三脚穴取付端子１の下部に三脚穴部材１２が設けられているので、該三脚穴部材１２の三脚穴１３を利用することで三脚にも取り付けることが可能である（図４参照）。
【００３１】
以上、本発明に係るカメラ用部品装着具セットの一実施例について説明したが、本発明は上記に限定されない。
【００３２】
例えば、図５及び図６に示すように、上記実施例とはアタッチメント２３に対するルーペ（拡大レンズ）３の取り付け向きを変えると共に、自在手２の屈曲方向を上記実施例のデジタルカメラ４の横方向からではなく、下方から屈曲させることにより、ルーペ（拡大レンズ）３を液晶モニター画面４１を透視する位置に配設するようにしてもよい。図６から明らかなように、カメラの操作性は、この実施例の方が、より有利である。また、請求項５又は６に示すカメラ用部品装着具セットの場合、自在手２の長さを最短にした上で、様々な機種やメーカー相異のカメラに対応する点でも有利である。
【００３３】
カメラによって三脚穴の位置が異なる場合があるので、適用するカメラに応じて前記取り付け向き及び屈曲方向を適宜変更することもできる。
【００３４】
また、ルーペ（拡大レンズ）３に換えて、図７に示すようにフィルター類５を自在手２に取り付けることもできる。この場合、図３又は図６の態様と同様にデジタルカメラ４の底面に装着した後、自在手２を屈曲させてフィルター類５が撮影レンズ４２の被写界位置となるように調整する。
【００３５】
用いられるフィルター類５としては、ソフト（軟調）系フィルター、周辺効果系フィルター、クロスフィルター、色彩効果系フィルター等の狭義のフィルターに限らず、デブに写るレンズ、ノッポに写るレンズ、歪んで写るレンズ等の広義のフィルターを含み、カメラ用フィルターとして公知公用のフィルターを特別の制限なく適用することができる。
【００３６】
前述したルーペ（拡大レンズ）３をデジタルカメラ４の前面部の撮影レンズ４２の被写界位置にフィルター類５の場合と同様に配設させて、特殊効果を生じさせることもできる。
【００３７】
また、カメラ用部品装着具セットは１台のカメラに対して１個のみの使用に限定されず、複数セットを積層して使用することができる。即ち、２セットを積層することでルーペ（拡大レンズ）３とフィルター類５の同時使用が可能となる。
【００３８】
さらに、フィルター類５を複数枚セットする場合、一つの自在手２のアタッチメント２３に取り付けるフィルター類５を任意に選定し、使用することができる。
【００３９】
本発明に係るカメラ用部品装着具セットは、ユーザーの嗜好に合せて様々な色で形成してもよい。装着するデジタルカメラの色や服装或いは気分に応じて、異なる色のものを選定できるようにしてもよい。
【００４０】
ルーペ（拡大レンズ）３とフィルター類５の複数セットの組合せ例を下記する。
１．倍率の異なる複数枚のルーペ（拡大レンズ）３のセット
２．種類の異なる複数枚のフィルター類５のセット
３．ルーペ（拡大レンズ）３とフィルター類５とのセット
４．１と２の組合せセット（３枚以上セット）
【００４１】
以上、本発明に係るカメラ用部品装着具セットをデジタルカメラに装着する態様について説明したが、装着されるカメラはデジタルカメラに限らずデジタルビデオカメラ、ビデオカメラ、銀塩カメラ等、三脚穴を有するカメラ類であればよい。例えば、液晶モニター画面の無い銀塩カメラ等に装着した場合、各操作部等を拡大表示するのに利用することができる。
【００４２】
【発明の効果】
本発明によれば、液晶モニター画面を拡大することで視認性を向上させることができ、しかも様々な機種やメーカー相異に拘わらず容易に着脱可能に適用できるカメラ用部品装着具セットを提供することができる。
【図面の簡単な説明】
【図１】本発明に係るカメラ用部品装着具セットの一実施例を示す正面図
【図２】図１の底面図
【図３】図１及び図２に示すカメラ用部品装着具セットをデジタルカメラに装着した状態の一例を示す底面図
【図４】図３の態様に三脚を取り付けた状態を示す背面図
【図５】本発明に係るカメラ用部品装着具セットの他の実施例を示す正面図
【図６】図５に示すカメラ用部品装着具セットをデジタルカメラに装着した状態を示す底面図
【図７】本発明に係るカメラ用部品装着具セットの他の実施例をデジタルカメラに装着した状態の一例を示す底面図
【符号の説明】
１  三脚穴取付端子
１１  螺子
１２  三脚穴部材
１３  三脚穴
２  自在手
２１  ジョイント・ソケット部
２２  ジョイント・ボール部
２３  アタッチメント
３  ルーペ（拡大レンズ）
３１  レンズ部
３２  枠部
４  デジタルカメラ
４１  液晶モニター画面
４２  レンズ
５  フィルター類
６  三脚
【図１】
2004177439.tif 000003
【図２】
2004177439.tif 000004
【図３】
2004177439.tif 000005
【図４】
2004177439.tif 000006
【図５】
2004177439.tif 000007
【図６】
2004177439.tif 000008
【図７】
2004177439.tif 000009